(57)【要約】      （修正有）【課題】島から取り外せば、変更された天板部品のみを交換することができ、キャビネットを再利用出来るようになり、コストを下げることができるスロットマシンのキャビネットを提供する。【解決手段】前面開放のスロットマシンの直方体形のキャビネットの構造であって、該キャビネットは背板部６と左右側板部４、５と天板部２と底板部３とを備え、天板部２を除く各板部は互いに接着剤と釘や針で接合され、天板部２は背板部６と左右の側板部４、５とに木ねじ７止めされ、かつ外からは触れられないスロットマシンの島に収納される天板部２の箇所には背板部６から天板部２の側面に向けてネジ止めされている。島から取り外せば、改造変更された天板部品のみを交換することができ、キャビネット外側カド部が欠損凹んだりした天板を容易に交換ができるようになったことにより、コスト面を解決した。【選択図】図１
0003206788.tif 000002
【実用新案登録請求の範囲】
【請求項１】
前面開放のスロットマシンの直方体形のキャビネットの構造であって、該キャビネットは背板部と左右側板部と天板部と底板部とを備え、前記天板部を除く各板部は互いに接着剤と釘や針で接合され、前記天板部は前記背板部と左右の側板部とに木ねじ止めされ、かつ外からは触れられないスロットマシンの島に収納される天板部の箇所には前記背板部から前記天板部の側面に向けてネジ止めされているスロットマシンのキャビネット。
【請求項２】
前記天板部と前記左右の側板部とは、前記天板部から前記側板部に向けて又は前記側板部から前記天板部に向けてネジ止めされている請求項１に記載のスロットマシンのキャビネット。
【考案の詳細な説明】
【技術分野】
【０００１】  この考案は、外から触れられないスロット島に収納された、スロットマシンのキャビネットの左側板部と右側板部と底板部と背板部が組み立てられたユニットに天板部を、木ネジ止めにて固定する部分の構造に関する。
【背景技術】
【０００２】パチンコ型スロットマシン（以下「パチスロ」という）等の遊技機筐体は一般に、前面が開口した箱形のキャビネット内に、複数のリールを備えたリール装置やそのリールや液晶装置などを電気的に制御するための制御装置、多数枚のメダルを収容しメダルの払い出しをする装置などの装置本体と装置取付金具とハーネス類などが格納されている。【０００３】パチスロ遊技機筐体の場合、機種が異なっても同一の形状寸法となっているため、パチスロ遊技機を回収した後に、使用した筐体を異なった機種に再利用できれば製造コストを下げることが可能である。【０００４】特に、パチスロ遊技機は一般的に短期間で次機種と交換されるため、製造コストをおさえるために、形状寸法が同一であるキャビネットを再利用可能にすることが望ましい。【０００５】しかし、パチスロ遊技機は法規制によって改造、改良が出来ないことになっている。
【先行技術文献】
【特許文献】
【０００６】
【特許文献１】特開２０１４−２２３２９２号公報
【考案の概要】
【考案が解決しようとする課題】
【０００７】パチスロのキャビネットは、ホール島へ取り付ける際、あらかじめキャビネットに加工してある天板部の取付穴を用いて取り付けられるが、このとき取付穴が大きくなってしまったり、また取付穴が無い箇所に木ネジを打ち込まれたりすることにより元の筐体の形状と異なったものになったと解されてしまう。これを次機種で再利用すると改造品のパチスロ遊技機になってしまう。そのため再利用できなかった。【０００８】また、筐体は天板外側のカド部が、運送時・設置搬入出時に欠損や凹んだりすることにより補修コストが高くなって問題になっていた。【０００９】これまで考案されたものは、同時にこの問題を解決されるものがなかった。
そのため充分な解決とは言い難く、未だ市場のほとんどの筐体は、天板と底板と左側板と右側板と背板は、接着剤と針・釘にて箱状にして、板部品各々を取り替えできない構造のままである。【００１０】本考案は、以上の問題を解決することを課題とする。
【課題を解決するための手段】
【００１１】前面開放のスロットマシンの直方体形のキャビネットの構造であって、該キャビネットは背板部と左右側板部と天板部と底板部とを備え、前記天板部を除く各板部は互いに接着剤と釘や針で接合され、前記天板部は前記背板部と左右の側板部とに木ねじ止めされ、かつ外からは触れられないスロットマシンの島に収納される天板部の箇所には前記背板部から前記天板部の側面に向けてネジ止めされているスロットマシンのキャビネット。【００１２】前記スロットマシンのキャビネットの前記天板部と前記左右の側板部とは、前記天板部から前記側板部に向けて又は前記側板部から前記天板部に向けてネジ止めされている。
【考案の効果】
【００１３】本考案のパチスロのキャビネットは、外からは触れられないスロットマシンの島に収納される天板部の箇所には前記背板部から天板部の側面に向けて木ネジ止めされていて、
容易に第三者が天板を取り外すことができなくしてあるが、
島から取り外せば、変更された天板部品のみを交換することができ、キャビネットを再利用出来るようになり、コストを下げることができる。【００１４】  本考案の天板部は、外側から木ネジのみで締結し、組み立てるため、最小限の構成部材で済むため、容易に組み立てられるため、コスト面を解決した。
【図面の簡単な説明】
【００１５】
【図１】本考案の実施形態１に係るスロットマシン筐体を背面から見た分解斜視図。
【図２】本考案の実施形態２に係るスロットマシン筐体を正面から見た分解斜視図。
【図３】本考案の実施形態に係るスロットマシン筐体を正面から見た分解斜視図。
【図４】本考案の実施形態に係るスロットマシン筐体の組み上がった外観図。
【図５】本考案を実施するために係る左側板と右側板と天板と底板と背板が組み立てられた状態を縦方向に切断して示した断面図。図３におけるＡ−Ａ線断面図。
【図６】本考案を実施するために係る天板部の三面図
【図７】本考案を実施するために係るスロットマシン島の設置時概略図
【考案を実施するための形態】
【００１６】以下、本考案の実施の形態を図１〜図６に基づいて説明する。
【００１７】〈実施形態１〉
これらの図において、スロットマシンのキャビネットは、スロットマシンの筐体１を構成する、矩形の背板部６と、その背板部６の左右の縁と結合される左側板部４、右側板部５と、前記背板部６と前記左右の側板部４、５とで形成される平面視コの字形の上端面に取り付ける天板部２と、前記コの字形の下端面に取り付ける底板部３と、前記天板部２と前記左右の側板部４、５とのそれぞれの突き合せ部、並びに、前記天板部２と前記背板部６とのそれぞれの突き合せコーナー部に外側から締結する木ネジ７とを備えている。
【００１８】  背板部６には、接合される天板２との接合箇所には、凸状の突起１０が一定間隔で形成されている。
また、天板部には、凹状の溝１１が一定間隔で形成されている。
【００１９】  左側板部４と右側板部５には、接合される天板２との接合箇所には、凸状の突起１４が形成されている。
また、天板部には、前記突起部１４が嵌る凹状の溝１３が一定間隔で形成されている。
【００２０】  背板部６と左側板部４と右側板部５に接合される天板部２には、座加工部１２が形成されている。
【００２１】  また、左側板部４と右側板部５には、ネジガイド孔８が形成され、そのネジガイド孔８に木ネジ７が嵌り込むようになっている。これにより、木ネジ７の取り付け箇所が容易に決まり、相手側部材に対して垂直に締結できるようになっている。
【００２２】  同様に、背板部６には、ネジガイド孔９が形成され、そのネジガイド孔に木ネジ７が嵌り込むようになっている。木ネジ７の取り付け箇所が容易に決まり、相手側部材に対して垂直に締結できるようになっている。
【００２３】〈実施形態２〉
この形態のスロットマシンのキャビネットは、スロットマシンの筐体１を構成する、矩形の背板部６Ａと、その背板部６Ａの左右の縁と結合される左側板部４Ａ、右側板部５Ａと、前記背板部６Ａと前記左右の側板部４Ａ、５Ａとで形成される平面視コの字形の上端面に取り付ける天板部２Ａと、前記コの字形の下端面に取り付ける底板部３Ａと、前記天板部２Ａと前記左右の側板部４Ａ、５Ａとのそれぞれの突き合せ部、並びに、前記天板部２Ａと前記背板部６Ａとのそれぞれの突き合せコーナー部に外側から締結する木ネジ７Ａとを備えている。
【００２４】  背板部６Ａには、接合される天板２Ａとの接合箇所には、凸状の突起１０Ａが一定間隔で形成されている。
また、天板部には、前記突起１０Ａが嵌る凹状の溝１１Ａが一定間隔で形成されている。
【００２５】  左側板部４Ａと右側板部５Ａに接合される天板部２Ａには、座加工部１２Ａが形成されている。
【００２６】  また、天板部２Ａには、ネジガイド孔８Ａが形成され、そのネジガイド孔８Ａに木ネジ７Ａが嵌り込むようになっている。これにより、木ネジ７Ａの取り付け箇所が容易に決まり、相手側部材に対して垂直に締結できるようになっている。
【００２７】  同様に、背板部６Ａには、ネジガイド孔９Ａが形成され、そのネジガイド孔に木ネジ７Ａが嵌り込むようになっている。木ネジ７Ａの取り付け箇所が容易に決まり、相手側部材に対して垂直に締結できるようになっている。
【００２８】  スロットマシンのキャビネット島は、図７に示すようにスロットマシンの筐体１を正面１０２を第三者が遊戯するほうに向けて、スロットキャビネット収納部１０１に収納設置して、第三者がスロットキャビネットの中身を容易に触れられないようにしている。
なお、符号１０３は島上部、１０４は島下部である。
【符号の説明】
【００２９】１  筐体、２  天板部、３  底板部、４  左側板部、５  右側板部、６  背板部、７  木ネジ、８  ネジガイド孔、９  ネジガイド孔、１０  凸状の突起、１１  凹状の溝、１２  座加工部、１３  凹状の溝、１４  凸状の突起、
２Ａ  天板部、３Ａ  底板部、４Ａ  左側板部、５Ａ  右側板部、６Ａ  背板部、７Ａ  木ネジ、８Ａ  ネジガイド孔、９Ａ  ネジガイド孔、１０Ａ  凸状の突起、１１Ａ  凹状の溝、
１０１  スロットキャビネット収納部、１０２  正面、１０３  島上部、１０４  島下部、
【図１】
0003206788.tif 000003
【図２】
0003206788.tif 000004
【図３】
0003206788.tif 000005
【図４】
0003206788.tif 000006
【図５】
0003206788.tif 000007
【図６】
0003206788.tif 000008
【図７】
0003206788.tif 000009